(57)【要約】【課題】ユーザーが特別な設定変更操作などを行うことなく、操作を無効又は有効に設定可能な画像表示装置を提供する。【解決手段】外部の情報処理装置２００によって制御可能な画像表示装置（例えばプロジェクター）１００であって、画像表示装置１００に対する操作を受け付ける操作部（例えば操作パネル）１１１と、情報処理装置２００と通信する通信部（通信Ｉ／Ｆ部）１１４と、通信部１１４を介して、操作の内容を示す操作情報を情報処理装置２００に通知する操作情報通知部１１７と、操作情報に対する情報処理装置２００の応答に基づいて、操作が無効であるか有効であるかを判定し、判定した結果に基づいて操作を無効又は有効とする制御部１１６とを備える。【選択図】図２
2012068442.tif 000002
【特許請求の範囲】
【請求項１】
外部の情報処理装置によって制御可能な画像表示装置であって、
前記画像表示装置に対する操作を受け付ける操作部と、
前記情報処理装置と通信する通信部と、
前記通信部を介して、前記操作の内容を示す操作情報を前記情報処理装置に通知する操作情報通知部と、
前記操作情報に対する前記情報処理装置の応答に基づいて、前記操作が無効であるか有効であるかを判定し、判定した結果に基づいて前記操作を無効又は有効とする制御部と、
を備えることを特徴とする画像表示装置。
【請求項２】
請求項１に記載の画像表示装置において、
前記制御部は、前記情報処理装置によって制御可能となっていない状態で前記情報処理装置からの制御信号を受信すると、前記情報処理装置によって制御可能な状態とするための設定を行うことを特徴とする画像表示装置。
【請求項３】
請求項１又は２に記載の画像表示装置において、
前記制御部は、前記操作の許可を要求するための信号を前記情報処理装置に送信し、前記操作の許可を要求するための信号の送信後の所定時間内に、前記情報処理装置からの制御信号を受信した場合には、前記操作を無効とすることを特徴とする画像表示装置。
【請求項４】
請求項１又は２に記載の画像表示装置において、
前記制御部は、前記操作の許可を要求するための信号を前記情報処理装置に送信し、前記操作の許可を要求するための信号の送信後の所定時間内に、前記情報処理装置から前記操作を禁止する信号を受信した場合には、前記操作を無効とすることを特徴とする画像表示装置。
【請求項５】
請求項１又は２に記載の画像表示装置において、
前記制御部は、前記操作の許可を要求するための信号を前記情報処理装置に送信し、前記操作の許可を要求するための信号の送信後の所定時間内に、前記情報処理装置から前記操作を許可する信号を受信した場合には、前記操作を有効とすることを特徴とする画像表示装置。
【請求項６】
請求項１又は２に記載の画像表示装置において、
前記制御部は、前記操作の許可を要求するための信号を前記情報処理装置に送信し、前記操作の許可を要求するための信号の送信後の所定時間内に、前記情報処理装置から応答がない場合には、前記操作を有効とすることを特徴とする画像表示装置。
【請求項７】
外部の情報処理装置によって制御可能な画像表示装置の制御方法であって、
前記画像表示装置に対する操作を受け付けるステップと、
前記操作の内容を示す操作情報を前記情報処理装置に通知するステップと、
前記操作情報に対する前記情報処理装置の応答に基づいて、前記操作が無効であるか有効であるかを判定し、判定した結果に基づいて、前記操作を無効又は有効とするステップと、
を有することを特徴とする画像表示装置の制御方法。
【発明の詳細な説明】
【技術分野】
【０００１】
本発明は、パーソナルコンピューター（以下では、「ＰＣ」とも称する）などの情報処理装置によって制御可能な画像表示装置及び画像表示装置の制御方法に関する。
【背景技術】
【０００２】
画像表示装置（以下では、プロジェクターを例に挙げて説明する）を情報処理装置（以下では、ＰＣを例に挙げて説明する）にシリアルケーブルなどで接続して、プロジェクターの電源のオン・オフ、プロジェクターの入力切り替えなど種々の制御をＰＣ側で可能とする状態の設定が可能なプロジェクターが知られている。
【０００３】
このようなプロジェクターにおいて、ＰＣによって制御することが可能な状態となっている場合には、プロジェクターの付属品として備えられているリモートコントローラー（以下では、「リモコン」とも称する）上での操作及びプロジェクター本体に設けられている操作パネル上での操作を無効とする機能を有することが好ましい。このように、リモコン上での操作及び操作パネル上での操作を無効とする機能を有するプロジェクターは種々提案されている（例えば、特許文献１参照）。
【０００４】
特許文献１に記載されているプロジェクターは、リモコン番号切り替え機能を有し、リモコン上での操作を無効とする場合には、リモコン番号を登録番号とは異なる番号に切り替えるなどの設定変更操作を行うことによってリモコン上での操作を無効とすることができる。また、操作パネル上での操作を無効とする場合にも、操作を無効とするための設定変更をユーザーが行うことによって操作パネル上での操作を無効とすることができる。これにより、例えば、ＰＣによってプロジェクターを制御することが可能な状態となっているときは、リモコン上での操作及び操作パネル上での操作を無効することができる。
【０００５】
なお、以下では、リモコン上での操作及び操作パネル上での操作をそれぞれ個別に説明する場合を除いては、リモコン上での操作及び操作パネル上での操作をそれぞれ「操作部での操作」又は単に「操作」と表記する場合もある。
【先行技術文献】
【特許文献】
【０００６】
【特許文献１】特開２００９−２３９７２０号公報
【発明の概要】
【発明が解決しようとする課題】
【０００７】
特許文献１に記載されているプロジェクターは、操作部での操作を無効とする場合には、操作を無効とするための設定変更をユーザーがその都度行う必要がある。このため、ＰＣによってプロジェクターを制御することが可能な状態となっている場合のように、操作を無効とすべき状況であっても、操作を無効とするための設定変更をし忘れてしまうと、操作部での操作によってプロジェクターが制御されてしまうといった不具合が生じることとなる。また、逆に、操作が無効の状態において、操作を有効としたい場合には、操作を有効とするための設定変更をユーザーがその都度行わなければならない。
【０００８】
このように、特許文献１に記載されているプロジェクターにおいては、操作部での操作を無効又は有効とするための設定をその都度行う必要がある。特に、プレゼンテーション中などにおいてこのような設定をその都度行うことは面倒であり、設定のし忘れなどにより、円滑なプレゼンテーションが行えないといった問題がある。
【０００９】
そこで本発明は、ユーザーが特別な設定変更などを行うことなく、操作部での操作を無効又は有効とするこができる画像表示装置及び画像表示装置の制御方法を提供することを目的とする。
【課題を解決するための手段】
【００１０】
本発明の画像表示装置は、外部の情報処理装置によって制御可能な画像表示装置であって、前記画像表示装置に対する操作を受け付ける操作部と、前記情報処理装置と通信する通信部と、前記通信部を介して、前記操作の内容を示す操作情報を前記情報処理装置に通知する操作情報通知部と、前記操作情報に対する前記情報処理装置の応答に基づいて、前記操作が無効であるか有効であるかを判定し、判定した結果に基づいて前記操作を無効又は有効とする制御部とを備えることを特徴とする。
【００１１】
本発明の画像表示装置によれば、情報処理装置によって画像表示装置を制御することが可能な状態において、操作部での操作がなされると、当該操作が無効であるか有効であるかを判定し、その判定の結果に基づいて操作を無効又は有効としているので、情報処理装置によって画像表示装置を制御することが可能な状態において、操作部での操作によって画像表示装置が制御されてしまうことを防止できる。また、情報処理装置によって画像表示装置を制御することが可能な状態であっても、状況に応じては操作を有効とすることができる。また、操作を無効又は有効とするための設定は、画像表示装置の側で自動的に行うので、ユーザーが特別な設定変更などを行う必要がなくなる。これにより、例えば、プレゼンテーションなどにおいては、操作を無効又は有効とするための設定をその都度行う必要がなくなり、円滑なプレゼンテーションが可能となる。
【００１２】
本発明の画像表示装置においては、前記制御部は、前記情報処理装置によって制御可能となっていない状態で前記情報処理装置からの制御信号を受信すると、前記情報処理装置によって制御可能な状態とするための設定を行うことが好ましい。
これにより、情報処理装置によって画像表示装置を制御することが可能な状態とするための設定を自動的に行うことができ、このような設定をユーザーがその都度行う必要がなくなる。
【００１３】
本発明の画像表示装置においては、前記制御部は、前記操作の許可を要求するための信号を前記情報処理装置に送信し、前記操作の許可を要求するための信号の送信後の所定時間内に、前記情報処理装置からの制御信号を受信した場合には、前記操作を無効とすることが好ましい。
これにより、情報処理装置からの制御信号による制御を優先することができ、情報処理装置からの制御信号による制御がなされているときに、操作部での操作が有効となってしまうことを防止することができる。
【００１４】
本発明の画像表示装置においては、前記制御部は、前記操作の許可を要求するための信号を前記情報処理装置に送信し、前記操作の許可を要求するための信号の送信後の所定時間内に、前記情報処理装置から前記操作を禁止する信号を受信した場合には、前記操作を無効とすることが好ましい。
【００１５】
このようにすることによっても、情報処理装置からの制御信号による制御を優先することができる。なお、操作を禁止する信号を受信している状況というのは、情報処理装置からの制御信号に対応する処理を実行している場合などを例示することができる。
【００１６】
本発明の画像表示装置においては、前記制御部は、前記操作の許可を要求するための信号を前記情報処理装置に送信し、前記操作の許可を要求するための信号の送信後の所定時間内に、前記情報処理装置から前記操作を許可する信号を受信した場合には、操作部での操作を有効とすることが好ましい。
【００１７】
これにより、情報処理装置によって画像表示装置を制御することが可能な状態となっていても操作部での操作を有効とすることができる。このような状況としては、情報処理装置によって画像表示装置を制御することが可能な状態となっている場合において、情報処理装置が画像表示装置に対して実際には制御を行っていない状況を例示することができる。このような状況においては、操作を有効とする。
【００１８】
本発明の画像表示装置においては、前記制御部は、前記操作の許可を要求するための信号を前記情報処理装置に送信し、前記操作の許可を要求するための信号の送信後の所定時間内に、前記情報処理装置から応答がない場合には、前記操作を有効とすることが好ましい。
【００１９】
この場合も、情報処理装置によって画像表示装置を制御することが可能な状態となっている場合において操作部での操作を有効とすることができる。このような状況としては、情報処理装置の側において画像表示装置の制御を行うためのプログラムが何らかの原因で実行できない状況などを例示することができる。このような状況においては、操作を有効とする。
【００２０】
本発明の画像表示装置の制御方法は、外部の情報処理装置によって制御可能な画像表示装置の制御方法であって、前記画像表示装置に対する操作を受け付けるステップと、前記操作の内容を示す操作情報を前記情報処理装置に通知するステップと、前記操作情報に対する前記情報処理装置の応答に基づいて、前記操作が無効であるか有効であるかを判定し、判定した結果に基づいて、前記操作を無効又は有効とするステップとを有することを特徴とする。
【００２１】
本発明の画像表示装置の制御方法においても、本発明の画像表示装置と同様の効果を得ることができる。なお、本発明の画像表示装置の制御方法においても、本発明の画像表示装置が有する各特徴を有することが好ましい。
【図面の簡単な説明】
【００２２】
【図１】実施形態に係る画像表示システム１０の構成を説明するために示す図。
【図２】実施形態に係るプロジェクター１００の構成を示す図。
【図３】図２に示す画像投写部１０１の構成を示す図。
【図４】制御部１１６が有する外部制御モード設定機能による外部制御モード設定処理を説明するフローチャート。
【図５】制御部１１６が有する操作無効・有効設定機能による操作無効・有効設定処理を説明するフローチャート。
【発明を実施するための形態】
【００２３】
以下、本発明の実施形態について説明する。なお、以下に説明する実施形態においては、画像表示装置はプロジェクターであるとして説明する。
【００２４】
図１は、実施形態に係る画像表示システム１０の構成を説明するために示す図である。実施形態に係る画像表示システム１０は、図１に示すように、画像表示装置としてのプロジェクター１００と、情報処理装置としてのＰＣ（パーソナルコンピューター）２００と、プロジェクター１００とＰＣ２００とを接続してプロジェクター１００とＰＣ２００との間で通信を行うための通信ケーブル３００とを有している。通信ケーブル３００は、プロジェクター１００とＰＣ２００とを双方向に通信することができるように接続するものであり、ＨＤＭＩ（High Definition Multimedia interface）ケーブル等を使用することができる。
【００２５】
このように構成された画像表示システム１０において、プロジェクター１００は、プロジェクター１００の付属品として備えられているリモコン１１０上での操作又はプロジェクター１００の本体に設けられた操作パネル１１１上での操作によって、電源のオン・オフ、入力切り替えなど種々の制御を行うことができる。
【００２６】
また、ＰＣ２００は、プロジェクター１００を制御するプロジェクター制御部２１０を有している。プロジェクター制御部２１０は、プロジェクター１００を制御するための制御プログラムを有している。これによって、プロジェクター１００の電源のオン・オフ、プロジェクター１００の入力切り替えなど種々の制御をＰＣ２００側で行うことができるようになっている。
【００２７】
図２は、実施形態に係るプロジェクター１００の構成を示す図である。実施形態に係るプロジェクター１００は、図２に示すように、画像投写部１０１と、タイマー１０２と、商用電源に接続されてプロジェクター１００を動作させるための電力を各部に供給する電源部１０３と、外部接続機器４００からの複数の画像データのうちユーザーによって指定された画像データ（音声データを含むものとする）を選択するために入力の切り替えを行う入力切り替え部１０４と、入力切り替え部１０４によって選択された画像データを処理する画像データ処理部１０５と、画像データ処理部１０５によって処理された画像データを画像投写部１０１に出力する画像データ出力部１０６と、画像データ処理部１０５によって処理された音声データを音声出力部（スピーカー）１０８に出力する音声データ出力部１０７と、リモコン１１０上での操作に対応するリモコン制御信号を受信するリモコン制御信号受信部１１２と、リモコン１１０上での操作又はプロジェクター１００本体に設けられている操作パネル１１１上での操作の内容を示す操作情報を出力する操作情報出力部１１３と、ＰＣ２００との間で双方向通信を可能とする通信部としての通信インターフェース部（通信Ｉ／Ｆ部）１１４と、ＰＣ２００からの制御信号（外部制御信号という）を通信Ｉ／Ｆ部１１４を介して受信する外部制御信号受信部１１５と、後述する種々の制御を行う制御部１１６と、通信Ｉ／Ｆ部１１４を介して、操作情報をＰＣ２００に通知する操作情報通知部１１７とを有している。リモコン１１０及び操作パネル１１１が、本発明における操作部に相当する。
【００２８】
なお、制御部１１６は、プロジェクター１００電源のオン・オフやプロジェクター１００の入力切り替えなど種々の制御を行う制御機能と、プロジェクター１００を外部制御モード状態に設定する機能（外部制御モード設定機能という）と、外部制御モード状態において操作情報を検出すると、リモコン１１０上での操作又は操作パネル１１１上での操作が無効であるか有効であるかを判定してその判定の結果に基づいて、リモコン１１０上での操作又は操作パネル１１１上での操作を無効又は有効とする機能（操作無効・有効設定機能という）とを有している。これらの機能のうち、外部制御モード設定機能と操作無効・有効設定機能については後述する。なお、外部制御モード状態とは、プロジェクター１００に接続された外部機器（この場合はＰＣ２００）によってプロジェクター１００を制御することが可能な状態である。
【００２９】
図３は、図２に示す画像投写部１０１の構成を示す図である。画像投写部１０１は、図３に示すように、赤色光、緑色光及び青色光を含む光を射出する光源５１０と、レンズアレイ５２０と、重畳レンズ５３０と、画像形成部５４０と、投写レンズ５５０とを備える。
【００３０】
画像形成部５４０は、光源５１０から射出された光を赤色光（Ｒ）と緑色光（Ｇ）及び青色光（Ｂ）とに分離する第１ダイクロイックミラー５４１と、第１ダイクロイックミラー５４１で分離された緑色光及び青色光を緑色光と青色光とに分離する第２ダイクロイックミラー５４２と、図１に示す画像データ出力部１０６から出力される画像データに基づいて赤色光、緑色光及び青色光の各色光を変調する赤色光用の光変調素子５４３Ｒ、緑色光用の光変調素子５４３Ｇ及び青色光用の光変調素子５４３Ｂと、第１ダイクロイックミラー５４１を透過した赤色光を光変調素子５４３Ｒに導く反射ミラー５４４と、第２ダイクロイックミラー５４２を透過した青色光を光変調素子５４３Ｂに導く第１リレーレンズ５４５、第１反射ミラー５４６、第２リレーレンズ５４７及び第２反射ミラー５４８と、光変調素子５４３Ｒ，５４３Ｇ，５４３Ｂでそれぞれ変調された各色光による画像光を合成してカラー画像光を形成するクロスダイクロイックプリズム５４９とを有する。
投写レンズ５５０は、クロスダイクロイックプリズム５４９で合成されたカラー画像光を拡大してスクリーンＳＣＲに投写する。
【００３１】
次に、実施形態に係るプロジェクター１００の動作を説明する。プロジェクター１００は、ＰＣ２００との間で双方向通信が可能となっており、ＰＣ２００からの外部制御信号によって、外部制御モード状態に移行するようになっている。なお、プロジェクター１００が外部制御モード状態となるとＰＣ２００側においてプロジェクター１００の電源のオン・オフや入力切り替えなど各種の制御が可能となる。
【００３２】
図４は、制御部１１６が有する外部制御モード設定機能による外部制御モード設定処理を説明するフローチャートである。まず、ＰＣ２００からの外部制御信号を受信すると（ステップＳ１）、当該外部制御信号に対応する処理を実行して（ステップＳ２）、外部制御モード状態であることを示すフラグ（外部制御モードフラグという）をＯＮとする（ステップＳ３）。
【００３３】
なお、図４において、外部制御信号に対応する処理の実行（ステップＳ２）と、外部制御モードフラグをＯＮ（ステップＳ３）とする順序は、図４に示すような順序であってもよいが、その逆又は同時であってもよい。
【００３４】
図５は、制御部１１６が有する操作無効・有効設定機能による操作無効・有効設定処理を説明するフローチャートである。図５に示す操作無効・有効設定処理は、操作無効・有効設定処理プログラムに基づいて実行するものである。
【００３５】
まず、リモコン１１０又は操作パネル１１１上で操作がなされると、操作情報出力部１１３から操作情報が出力される。ここで、制御部１１６が操作情報を検出すると（ステップＳ１１）、外部制御モード状態となっているか否か、すなわち外部制御モードフラグがＯＮとなっているか否かを判定する（ステップＳ１２）。このとき、外部制御モード状態（外部制御モードフラグがＯＮ）となっていれば、タイマー１０２をスタートし（ステップＳ１３）、ＰＣ２００に操作の許可を要求するための信号（操作許可要求信号という）を送信する（ステップＳ１４）。
【００３６】
なお、タイマー１０２は予め設定された所定時間を計測すると所定時間経過信号を出力するように設定されている。また、図５におけるタイマースタート（ステップＳ１３）と、操作許可要求信号の送信（ステップＳ１４）の順序は、図５に示すような順序であってもよいが、その逆又は同時であってもよい。
【００３７】
そして、ＰＣ２００からの外部制御信号を受信したか否かを判定する（ステップＳ１５）。この外部制御信号は、プロジェクター１００を外部制御モード状態としたときの外部制御信号（図４におけるステップＳ１参照）とは別の外部制御信号（新たな外部制御信号という）である。なお、この時点においては、まだタイマー１０２から所定時間経過信号が出力されていない状態であり、これを所定時間内という。
【００３８】
ステップＳ１５において、新たな外部制御信号を受信したと判定した場合（ステップＳ１５において「Ｙｅｓ」の場合）には、新たな外部制御信号に対応する処理を実行し（ステップＳ１６）、当該操作無効・有効設定処理プログラムを終了する。
【００３９】
このように、外部制御モード状態において操作がなされると、操作許可要求信号がＰＣ２００に送信され、当該操作許可要求信号の送信後の所定時間内に、ＰＣ２００から新たな外部制御信号を受信した場合には、当該外部制御信号に対応する処理を優先して実行したのち、操作無効・有効設定処理プログラムを終了する。このため、当該操作に対応する処理は実行されず、当該操作は無効となる。
【００４０】
一方、ステップＳ１５において新たな外部制御信号を受信したか否かを判定した結果、新たな外部制御信号を受信していない場合（ステップＳ１５において「Ｎｏ」の場合）には、操作を禁止する信号（操作禁止信号という）を受信したか否かを判定し（ステップＳ１７）、操作禁止信号を受信した場合（ステップＳ１７において「Ｙｅｓ」の場合）には、当該操作無効・有効設定処理プログラムを終了する。なお、この時点においては、まだタイマー１０２から所定時間経過信号が出力されていない状態すなわち所定時間内である。
【００４１】
このように、操作許可要求信号の送信後の所定時間内に、ＰＣ２００からの操作禁止信号を受信した場合には、当該操作無効・有効設定処理プログラムを終了する。このため、当該操作に対応する処理は実行されず、当該操作は無効となる。なお、ＰＣ２００から操作禁止信号が出力される状況としては、既に受信した外部制御信号に基づく処理の実行を継続している場合などを例示することができる。
【００４２】
一方、ステップＳ１７において操作禁止信号を受信したか否かを判定した結果、操作禁止信号を受信しなかった場合（ステップＳ１７において「Ｎｏ」の場合）には、操作を許可する信号（操作許可信号という）を受信したか否かを判定する（ステップＳ１８）。なお、この時点においては、まだタイマー１０２から所定時間経過信号が出力されていない状態すなわち所定時間内である。
【００４３】
ここで、操作許可信号を受信した場合（ステップＳ１８において「Ｙｅｓ」の場合）には、外部制御モードフラグをＯＦＦし（ステップＳ２０）、操作を有効として当該操作に対応する処理を実行（ステップＳ２１）したのち、当該操作無効・有効設定処理プログラムを終了する。
【００４４】
このように、操作許可要求信号の送信後の所定時間内に、ＰＣ２００から操作許可信号を受信した場合には、操作が有効となり、当該操作に対応する処理を実行する。なお、ＰＣ２００から操作許可信号が出力される状況としては、プロジェクター１００が外部制御モード状態となっていても、ＰＣ２００がプロジェクター１００に対して実際に外部制御を行っていない状態である場合などを例示することができる。
【００４５】
一方、ステップＳ１８において操作許可信号を受信したか否かを判定した結果、操作許可信号を受信しなかった場合（ステップＳ１８において「Ｎｏ」の場合）には、タイマー１０２から所定時間経過信号が出力されているか否かすなわち所定時間が経過したか否かを判定する（ステップＳ１９）。そして、所定時間が経過したか否かを判定した結果、所定時間が経過した場合には、外部制御モードフラグをＯＦＦし（ステップＳ２０）、操作を有効として当該操作に対応する処理を実行（ステップＳ２１）したのち、当該操作無効・有効設定処理プログラムを終了する。これは、操作許可信号の送信後において、所定時間経過してもＰＣ２００から応答がない場合であり、このような場合には、操作を有効として、当該操作に対応する処理を実行する。
【００４６】
なお、操作許可信号の送信後において、所定時間が経過してもＰＣ２００から応答がない状況としては、ＰＣ２００においてプロジェクター１００を制御するための制御プログラムが何らかの原因で実行できない状態となっている場合などを例示することができる。
【００４７】
ところで、ステップＳ１２において、外部制御モード状態でない場合（ステップＳ１２において「Ｎｏ」の場合）には、操作を有効として操作に対応する処理を実行する（ステップＳ２１）。
【００４８】
以上説明したような操作無効・有効設定処理を行うことにより、プロジェクター１００が外部制御モード状態となっているときに、操作部での操作が有効となってしまうことを防止できる。また、プロジェクター１００が外部制御モード状態となっている場合であっても、状況によっては、操作を有効とすることができる。このような操作無効・有効設定処理は、制御部１１６が判断して自動的に行うため、画像表示装置が外部制御モード状態となった場合において、ユーザーが特別な設定変更などを行うことなく、操作を無効又は有効とすることができる。
【００４９】
なお、本発明は上述の実施形態に限られるものではなく、本発明の要旨を逸脱しない範囲で種々変形実施可能となるものである。例えば、下記（１）〜（４）のような変形実施も可能である。
（１）上記実施形態においては、画像表示装置がプロジェクターである場合を例示したが、直視型の画像表示装置であってもよい。
（２）上記実施形態においては、プロジェクター１００とＰＣ２００の間のデータの授受は、通信ケーブル３００によって有線方式により行う場合を例示したが、有線方式だけではなく無線方式であってもよい。
（３）プロジェクター１００の光源５１０（図３参照）は、キセノンランプや超高圧水銀ランプ等の放電型の光源であってもよく、また、ＬＥＤ（Light Emitting Diode）光源やレーザー等の固体光源、又はその他の光源を用いることもできる。
（４）上記実施形態では、光変調素子として透過型の液晶ライトバルブ（光変調素子５４３Ｒ、５４３Ｇ、５４３Ｂ）を用いた場合を例示したが、これに代えて反射型の液晶ライトバルブ等、反射型の光変調素子を用いることも可能である。また、入射した光の射出方向を、画素としてのマイクロミラーごとに制御することにより、光源から射出した光を変調する微小ミラーアレイデバイス等を光変調素子として用いることもできる。
【符号の説明】
【００５０】
１０・・・画像表示システム、１００・・・プロジェクター（画像表示装置）、１１０・・・リモコン（操作部）、１１１・・・操作パネル（操作部）、１１４・・・通信Ｉ／Ｆ部（通信部）、１１６・・・制御部、１１７・・・操作情報通知部、２００・・・ＰＣ（情報処理装置）、３００・・・通信ケーブル
【図１】
2012068442.tif 000003
【図２】
2012068442.tif 000004
【図３】
2012068442.tif 000005
【図４】
2012068442.tif 000006
【図５】
2012068442.tif 000007